(57)【要約】【課題】  簡単安価な構造で薄型化を図ること。【解決手段】  ズーム操作時には、カム筒１を突出状態で正逆回転ｃ，ｄさせることより回転規制機構Ａ（スリット５Ａ及びキー９ａ，１０ａ）と、カム機構Ｂ（カム溝１Ａ，１Ｂ及びカムピン９ｂ，１０ｂ）との相互作用で１群レンズ枠９及び２群レンズ枠１０を広角位置Ｊと望遠位置Ｋとの間で出退ａ，ｂさせ、沈胴操作時には、カム筒１を逆転ｄさせることにより両機構Ａ，Ｂの相互作用で１群レンズ枠９をカム筒１内に後退ｂさせると共に、該カム筒１を固定筒２内に後退ｂさせるようにした光学ユニットにおいて、１群から３群のレンズ枠９〜１１の光軸Ｚ１〜Ｚ３が回転中心軸Ｏから位置ずれされ、沈胴操作時に２群レンズ枠１０のキー１０ａを回転中心軸Ｏ回りで所定角度回転させた後に該回転中心軸Ｏに沿って移動させる退避溝１４と連津溝１４ａが直進案内筒５に形成されている。【選択図】        図１
2007004038.tif 000002
【特許請求の範囲】
【請求項１】
内周面に複数のカム溝を形成したカム筒が固定筒内に出退可能に挿入され、該カム筒内
に回転中心軸と平行するスリットを形成した直進案内筒が嵌合され、該直進案内筒の外周
面と固定筒の内周面とのうち、その一方に回転中心軸と平行する縦溝が形成されると共に
、その他方に縦溝に嵌入する突起部が突設され、前記固定筒の後端枠に固体撮像素子が配
置されると共に、該固体撮像素子の前方に１群から３群のレンズ枠がそれぞれ出退方向に
所定間隔をおいて回転中心軸と同心状に配置され、その１群レンズ枠及び２群レンズ枠の
外周面にキーとカムピンとが突設され、その各キーを前記スリットに嵌入させることによ
り回転規制機構が形成されると共に、前記各カムピンを前記各カム溝に嵌入させることに
よりカム機構が形成されており、ズーム操作時には、カム筒を固定筒から突出させた状態
で正逆回転させることより前記両機構の相互作用で１群レンズ枠及び２群レンズ枠を広角
位置と望遠位置との間で出退させ、沈胴操作時には、カム筒を逆転させることにより両機
構の相互作用で１群レンズ枠をカム筒内に後退させると共に、該カム筒を固定筒内に後退
させるようにした光学ユニットにおいて、１群から３群のレンズ枠の光軸が回転中心軸か
ら位置ずれされ、前記スリットから所定角度おいて該スリットと平行する退避溝が直進案
内筒に形成され、該直進案内筒のスリットと退避溝との間の隔壁の後端部を切欠いてその
スリットと退避溝との後端部どうしを連通させる連通溝がその直進案内筒に形成され、前
記２群レンズ枠の外周壁部が筒状に形成され、該２群レンズ枠のキーとカムピンとが出退
方向に沿って互いに離間され、そのキーが前記外周壁部の後端に配置されると共に、その
カムピンが前記外周壁部の前端に配置されており、沈胴操作時には、カム筒を逆転させて
前記両機構の相互作用で２群レンズ枠を広角位置から退避位置まで後退させることにより
、該２群レンズ枠のキー及びカムピンを前記連通溝に対応する位置まで後退させ、続いて
、前記カム筒の逆転により２群レンズ枠を回転中心軸回りで所定角度回転させて、その２
群レンズ枠のキー及びカムピンを前記連通溝を通って退避溝に対応する位置まで移動させ
、これにより、２群レンズ枠のレンズを１群及び３群のレンズ枠のレンズ間から側方に退
避させた後、前記カム筒の逆転により１群レンズ枠をカム筒内に後退させると共に、該カ
ム筒を固定筒内に後退させ、さらに、２群レンズ枠のキー及びカムピンを退避溝内に退避
させることにより、その２群レンズ枠のレンズを１群及び３群のレンズ枠のレンズの両方
またはその一方とオーバーラップさせることを特徴とする光学ユニット。
【請求項２】
内周面に複数のカム溝を形成したカム筒が固定筒内に出退可能に挿入され、該カム筒内
に回転中心軸と平行するスリットを形成した直進案内筒が嵌合され、該直進案内筒の外周
面と固定筒の内周面とのうち、その一方に回転中心軸と平行する縦溝が形成されると共に
、その他方に縦溝に嵌入する突起部が突設され、前記固定筒の後端枠に固体撮像素子が配
置されると共に、該固体撮像素子の前方に１群から３群のレンズ枠がそれぞれ出退方向に
所定間隔をおいて配置され、その１群レンズ枠及び２群レンズ枠の外周面にキーとカムピ
ンとが突設され、その各キーを前記スリットに嵌入させることにより回転規制機構が形成
されると共に、前記各カムピンを前記各カム溝に嵌入させることによりカム機構が形成さ
れており、ズーム操作時には、カム筒を固定筒から突出させた状態で正逆回転させること
より前記両機構の相互作用で１群レンズ枠及び２群レンズ枠を広角位置と望遠位置との間
で出退させ、沈胴操作時には、カム筒を逆転させることにより両機構の相互作用で１群レ
ンズ枠をカム筒内に後退させると共に、該カム筒を固定筒内に後退させるようにした光学
ユニットにおいて、１群から３群のレンズ枠の光軸が回転中心軸から位置ずれされ、前記
スリットから所定角度おいて該スリットと平行する退避溝が直進案内筒に形成され、該直
進案内筒のスリットと退避溝との間の隔壁の後端部を切欠いてそのスリットと退避溝との
後端部どうしを連通させる連通溝がその直進案内筒に形成されており、沈胴操作時には、
カム筒を逆転させて前記両機構の相互作用で２群レンズ枠を広角位置から退避位置まで後
退させることにより、該２群レンズ枠のキー及びカムピンを前記連通溝に対応する位置ま
で後退させ、続いて、前記カム筒の逆転により２群レンズ枠を回転中心軸回りで所定角度
回転させて、その２群レンズ枠のキー及びカムピンを前記連通溝を通って退避溝に対応す
る位置まで移動させ、これにより、２群レンズ枠のレンズを１群及び３群のレンズ枠のレ
ンズ間から側方に退避させた後、前記カム筒の逆転により１群レンズ枠をカム筒内に後退
させると共に、該カム筒を固定筒内に後退させ、さらに、２群レンズ枠のキー及びカムピ
ンを退避溝内に退避させることにより、その２群レンズ枠のレンズを１群及び３群のレン
ズ枠のレンズの両方またはその一方とオーバーラップさせることを特徴とする光学ユニッ
ト。
【請求項３】
前記２群レンズ枠の外周壁部が筒状に形成され、該２群レンズ枠のキーとカムピンとが
出退方向に沿って互いに離間され、そのキーが前記外周壁部の後端に配置されると共に、
そのカムピンが前記外周壁部の前端に配置されていることを特徴とする請求項２に記載の
光学ユニット。
【発明の詳細な説明】
【技術分野】
【０００１】
本発明は、例えばデジタルカメラなどに用いられる光学ユニットに関し、特に薄型化を
図ることができるようにしたものである。
【背景技術】
【０００２】
従来、デジタルカメラ用光学ユニットの一例として図８〜図１０に示すものがあり、図
８は望遠撮影状態、図９は広角撮影状態、図１０は沈胴状態をそれぞれ示すものであって
、これは、内周面に２種類のカム溝１Ａ，１Ｂを形成したカム筒１が固定筒２内に出退ａ
，ｂ可能に挿入されると共に、該カム筒１の外周面に突設した複数の係合ピン３が固定筒
２の内周面に形成した係合溝２Ａに嵌入されており、カム筒１の外周面に形成した歯車部
４に噛合するピニオン（図示せず）を駆動して該カム筒１を正逆回転ｃ，ｄさせることに
より、カム筒１を突出ａさせたり（図８参照）、後退ｂさせる（図１０参照）。
【０００３】
直進案内筒５にその後端から前端近傍まで回転中心軸Ｏと平行する複数のスリット５Ａ
が形成され、該直進案内筒５の先端フック５ａをカム筒１の内周面先端の環状溝６に係合
させると共に、その直進案内筒５の後端に一体突設した突起部５ｂを固定筒２の内周面に
形成した回転中心軸Ｏと平行する縦溝７に嵌入させ、これによって、直進案内筒５がカム
筒１と一体に嵌合された状態で回転中心軸Ｏに沿って直線的に出退ａ，ｂされる。
【０００４】
前記固定筒２の後端枠２ａに固体撮像素子ＣＣＤが配置されると共に、該固体撮像素子
ＣＣＤの前方に１群から３群のレンズ枠９〜１１がそれぞれ所定間隔をおいて配置され、
その各レンズ枠９〜１１内に嵌め込んだレンズＬ１〜Ｌ３の光軸Ｚ１〜Ｚ３が回転中心軸
Ｏと同心状に位置決めされている。
【０００５】
１群レンズ枠９及び２群レンズ枠１０の外周面に複数のキー９ａ，１０ａとカムピン９
ｂ，１０ｂとが突設され、その各キー９ａ，１０ａを各スリット５Ａに嵌入させることに
より回転規制機構Ａが形成されると共に、各カムピン９ｂ，１０ｂを各スリット５Ａを通
って各カム溝１Ａ，１Ｂに嵌入させることによりカム機構Ｂが形成されており、カム筒１
を正逆回転ｃ，ｄさせると、両機構Ａ，Ｂの相互作用により１群レンズ枠９及び２群レン
ズ枠１０が回転中心軸Ｏに沿って直線的に出退ａ，ｂされる。なお、図８（ａ）中、１２
は１群レンズ枠９と２群レンズ枠１０との間に介在させた間隔調整ばねである。
【０００６】
ズーム操作時には、カム筒１を固定筒２から突出ａさせた状態（図８及び図９参照）で
、該カム筒１を正逆回転ｃ，ｄさせることより、両機構Ａ，Ｂの相互作用で１群レンズ枠
９及び２群レンズ枠１０を広角位置Ｊ（図９参照）と望遠位置Ｋ（図８参照）との間で出
退ａ，ｂさせ、所望の撮影角度で撮影する。また、３群レンズ枠１１を出退ａ，ｂさせる
ことにより、フォーカッシングを行う。
【０００７】
沈胴操作時には、図１０に示すように、カム筒１を逆転ｄさせることにより両機構Ａ，
Ｂの相互作用で１群レンズ枠９をカム筒１内に後退ｂさせると共に、該カム筒１を固定筒
２内に後退ｂさせることにより、１群レンズ枠９及び２群レンズ枠１０を沈胴位置Ｐに停
止させる。
【０００８】
上記構成によれば、沈胴状態（図１０参照）で各レンズ枠９〜１１間の間隔を狭めてい
るだけであるから、沈胴幅Ｈが比較的大きく、薄型化に限界がある。
【０００９】
上記問題点を解消する技術として特許文献１に記載したものがある。これは、沈胴操作
時に、揺動アーム機構により２群レンズ枠１０のレンズＬ２を１群及び３群のレンズ枠９
，１１のレンズＬ１，Ｌ３間から側方に退避させ、その退避により１群及び３群のレンズ
枠９，１１のレンズＬ１，Ｌ３間に生じた空隙を狭めて沈胴幅Ｈを小さくする。
【特許文献１】特開２００３−３１５８６１号公報
【発明の開示】
【発明が解決しようとする課題】
【００１０】
上記従来の構成では、２群レンズ枠１０のレンズＬ２を側方に退避させるために揺動ア
ーム機構を用いており、その揺動アーム機構では、構造が複雑で部品点数も多くなり、製
作費が高くつくという欠点がある。
【００１１】
本発明は、上記従来の欠点に鑑み、簡単安価な構造で薄型化を図ることができるように
した光学ユニットを提供することを目的としている。
【課題を解決するための手段】
【００１２】
上記目的を達成するため、請求項１に記載の発明は、内周面に複数のカム溝を形成した
カム筒が固定筒内に出退可能に挿入され、該カム筒内に回転中心軸と平行するスリットを
形成した直進案内筒が嵌合され、該直進案内筒の外周面と固定筒の内周面とのうち、その
一方に回転中心軸と平行する縦溝が形成されると共に、その他方に縦溝に嵌入する突起部
が突設され、前記固定筒の後端枠に固体撮像素子が配置されると共に、該固体撮像素子の
前方に１群から３群のレンズ枠がそれぞれ出退方向に所定間隔をおいて回転中心軸と同心
状に配置され、その１群レンズ枠及び２群レンズ枠の外周面にキーとカムピンとが突設さ
れ、その各キーを前記スリットに嵌入させることにより回転規制機構が形成されると共に
、前記各カムピンを前記各カム溝に嵌入させることによりカム機構が形成されており、ズ
ーム操作時には、カム筒を固定筒から突出させた状態で正逆回転させることより前記両機
構の相互作用で１群レンズ枠及び２群レンズ枠を広角位置と望遠位置との間で出退させ、
沈胴操作時には、カム筒を逆転させることにより両機構の相互作用で１群レンズ枠をカム
筒内に後退させると共に、該カム筒を固定筒内に後退させるようにした光学ユニットにお
いて、１群から３群のレンズ枠の光軸が回転中心軸から位置ずれされ、前記スリットから
所定角度おいて該スリットと平行する退避溝が直進案内筒に形成され、該直進案内筒のス
リットと退避溝との間の隔壁の後端部を切欠いてそのスリットと退避溝との後端部どうし
を連通させる連通溝がその直進案内筒に形成され、前記２群レンズ枠の外周壁部が筒状に
形成され、該２群レンズ枠のキーとカムピンとが出退方向に沿って互いに離間され、その
キーが前記外周壁部の後端に配置されると共に、そのカムピンが前記外周壁部の前端に配
置されており、沈胴操作時には、カム筒を逆転させて前記両機構の相互作用で２群レンズ
枠を広角位置から退避位置まで後退させることにより、該２群レンズ枠のキー及びカムピ
ンを前記連通溝に対応する位置まで後退させ、続いて、前記カム筒の逆転により２群レン
ズ枠を回転中心軸回りで所定角度回転させて、その２群レンズ枠のキー及びカムピンを前
記連通溝を通って退避溝に対応する位置まで移動させ、これにより、２群レンズ枠のレン
ズを１群及び３群のレンズ枠のレンズ間から側方に退避させた後、前記カム筒の逆転によ
り１群レンズ枠をカム筒内に後退させると共に、該カム筒を固定筒内に後退させ、さらに
、２群レンズ枠のキー及びカムピンを退避溝内に退避させることにより、その２群レンズ
枠のレンズを１群及び３群のレンズ枠のレンズの両方またはその一方とオーバーラップさ
せることを特徴としている。
【００１３】
請求項２に記載の発明は、内周面に複数のカム溝を形成したカム筒が固定筒内に出退可
能に挿入され、該カム筒内に回転中心軸と平行するスリットを形成した直進案内筒が嵌合
され、該直進案内筒の外周面と固定筒の内周面とのうち、その一方に回転中心軸と平行す
る縦溝が形成されると共に、その他方に縦溝に嵌入する突起部が突設され、前記固定筒の
後端枠に固体撮像素子が配置されると共に、該固体撮像素子の前方に１群から３群のレン
ズ枠がそれぞれ出退方向に所定間隔をおいて配置され、その１群レンズ枠及び２群レンズ
枠の外周面にキーとカムピンとが突設され、その各キーを前記スリットに嵌入させること
により回転規制機構が形成されると共に、前記各カムピンを前記各カム溝に嵌入させるこ
とによりカム機構が形成されており、ズーム操作時には、カム筒を固定筒から突出させた
状態で正逆回転させることより前記両機構の相互作用で１群レンズ枠及び２群レンズ枠を
広角位置と望遠位置との間で出退させ、沈胴操作時には、カム筒を逆転させることにより
両機構の相互作用で１群レンズ枠をカム筒内に後退させると共に、該カム筒を固定筒内に
後退させるようにした光学ユニットにおいて、１群から３群のレンズ枠の光軸が回転中心
軸から位置ずれされ、前記スリットから所定角度おいて該スリットと平行する退避溝が直
進案内筒に形成され、該直進案内筒のスリットと退避溝との間の隔壁の後端部を切欠いて
そのスリットと退避溝との後端部どうしを連通させる連通溝がその直進案内筒に形成され
ており、沈胴操作時には、カム筒を逆転させて前記両機構の相互作用で２群レンズ枠を広
角位置から退避位置まで後退させることにより、該２群レンズ枠のキー及びカムピンを前
記連通溝に対応する位置まで後退させ、続いて、前記カム筒の逆転により２群レンズ枠を
回転中心軸回りで所定角度回転させて、その２群レンズ枠のキー及びカムピンを前記連通
溝を通って退避溝に対応する位置まで移動させ、これにより、２群レンズ枠のレンズを１
群及び３群のレンズ枠のレンズ間から側方に退避させた後、前記カム筒の逆転により１群
レンズ枠をカム筒内に後退させると共に、該カム筒を固定筒内に後退させ、さらに、２群
レンズ枠のキー及びカムピンを退避溝内に退避させることにより、その２群レンズ枠のレ
ンズを１群及び３群のレンズ枠のレンズの両方またはその一方とオーバーラップさせるこ
とを特徴としている。
【００１４】
請求項３に記載の発明は、請求項２に記載の発明において、前記２群レンズ枠の外周壁
部が筒状に形成され、該２群レンズ枠のキーとカムピンとが出退方向に沿って互いに離間
され、そのキーが前記外周壁部の後端に配置されると共に、そのカムピンが前記外周壁部
の前端に配置されていることを特徴としている。
【発明の効果】
【００１５】
請求項１に記載の発明は第１、第２の実施の形態（図１〜図７参照）に対応するもので
あって、これによれば、沈胴操作時にカム筒を逆転させるだけで、２群レンズ枠のレンズ
を１群及び３群のレンズ枠のレンズ間から側方に退避させた後、その２群レンズ枠のレン
ズを１群及び３群のレンズ枠のレンズの両方（図７参照）またはその一方（図４参照）と
オーバーラップさせるから、そのオーバーラップ分だけ沈胴幅を小さくして、著しく薄型
化を図ることができる。
【００１６】
また、２群レンズ枠のキー及びカムピンを退避させるための退避溝及び連通溝を直進案
内筒に追加して形成しているだけであるから、構造が簡単で部品点数が増加せず、従来に
比べて製作費を大幅に安くすることができる。
【００１７】
更に、２群レンズ枠の外周壁部が筒状に形成されており、該外周壁部の外周面と直進案
内筒の内周面とが比較的広範囲にわたって移動可能に当接または接近されているので、そ
の２群レンズ枠を円滑に出退させることができる。
【００１８】
しかも、２群レンズ枠のキーが外周壁部の後端に配置されると共に、該２群レンズ枠の
カムピンが外周壁部の前端に配置されており、該キーとカムピンとが出退方向に沿って互
いに離間されているので、そのキー及びカムピンを精密に形成することができる。
【００１９】
請求項２に記載の発明は基本形態に対応するものであって、これによれば、沈胴操作時
にカム筒を逆転させるだけで、２群レンズ枠のレンズを１群及び３群のレンズ枠のレンズ
間から側方に退避させた後、その２群レンズ枠のレンズを１群及び３群のレンズ枠のレン
ズの両方またはその一方とオーバーラップさせるから、そのオーバーラップ分だけ沈胴幅
を小さくして、著しく薄型化を図ることができる。
【００２０】
また、２群レンズ枠のキー及びカムピンを退避させるための退避溝及び連通溝を直進案
内筒に追加して形成しているだけであるから、構造が簡単で部品点数が増加せず、従来に
比べて製作費を大幅に安くすることができる。
【００２１】
請求項３に記載の発明によれば、２群レンズ枠の外周壁部が筒状に形成されており、該
外周壁部の外周面と直進案内筒の内周面とが比較的広範囲にわたって移動可能に当接また
は接近されているので、その２群レンズ枠を円滑に出退させることができる。
【００２２】
しかも、２群レンズ枠のキーが外周壁部の後端に配置されると共に、該２群レンズ枠の
カムピンが外周壁部の前端に配置されており、該キーとカムピンとが出退方向に沿って互
いに離間されているので、そのキー及びカムピンを精密に形成することができる。
【発明を実施するための最良の形態】
【００２３】
図１〜図６は本発明の第１の実施の形態であるデジタルカメラ用光学ユニットを示すも
のであって、１群から３群のレンズ枠９〜１１の光軸Ｚ１〜Ｚ３が回転中心軸Ｏから所定
間隔ｎだけ位置ずれされ、直進案内筒５に複数の退避溝１４が各スリット５Ａに隣接して
形成されている。また、図３（ｂ）に示すように、２群レンズ枠１０用カム溝１Ｂの広角
位置Ｊと沈胴位置Ｐとの間に、２群レンズ枠１０を広角位置Ｊから若干後退ｂさせるため
の退避位置Ｑが形成されている。
【００２４】
前記退避溝１４は、図１（ｂ）及び図６に示すように、直進案内筒５にスリット５Ａか
ら所定角度αおいて該スリット５Ａと平行して形成されており、該直進案内筒５のスリッ
ト５Ａと退避溝１４との間の隔壁の後端部５ｃ〔図１（ｂ）仮想線参照〕を切欠いてその
スリット５Ａと退避溝１４との後端部どうしを連通させる連通溝１４ａがその直進案内筒
５に形成されている。なお、図１（ｂ）中、５ｄはスリット５Ａ及び退避溝１４を間に挟
んで直進案内筒５の後端縁に一体形成した一対のストッパである。
【００２５】
図１及び図６に示すように、２群レンズ枠１０の外周壁部１０ｃが広幅ｈの筒状に形成
され、該２群レンズ枠１０の各キー１０ａと各カムピン１０ｂとが出退ａ，ｂ方向に沿っ
て互いに離間され、その各キー１０ａが外周壁部１０ｃの後端に配置されると共に、その
各カムピン１０ｂが外周壁部１０ｃの前端に配置されている。
【００２６】
上記構成によれば、２群レンズ枠１０の外周壁部１０ｃが筒状に形成されており、該外
周壁部１０ｃの外周面と直進案内筒５の内周面とが比較的広範囲にわたって移動可能に当
接または接近されているので、その２群レンズ枠１０を円滑に出退させることができる。
【００２７】
また、２群レンズ枠１０の各キー１０ａが外周壁部１０ｃの後端に配置されると共に、
該２群レンズ枠１０の各カムピン１０ｂが外周壁部１０ｃの前端に配置されており、該各
キー１０ａと各カムピン１０ｂとが出退ａ，ｂ方向に沿って互いに離間されているので、
その各キー１０ａ及び各カムピン１０ｂを精密に形成することができる。
【００２８】
図６に示すように、カム筒１の前端面に前面板１ａが一体形成されると共に、該前面板
１ａに１群レンズ枠９の円筒レンズ部９ｃを挿通するための挿通口１５が形成され、１群
レンズ枠９に２群レンズ枠１０の円筒レンズ部１０ｄを挿通するための挿通口１６が形成
されている。上記以外の構成で図８〜図１０に示す構成と同一部分に同一符号を付してそ
の説明を省略する。
【００２９】
ズーム操作時には、カム筒１を固定筒２から突出ａさせた状態（図１及び図２参照）で
、該カム筒１を正逆回転ｃ，ｄさせることより、回転規制機構Ａ（スリット５Ａ及びキー
９ａ，１０ａ）と、カム機構Ｂ（カム溝１Ａ，１Ｂ及びカムピン９ｂ，１０ｂ）との相互
作用で１群レンズ枠９及び２群レンズ枠１０を広角位置Ｊ（図２参照）と望遠位置Ｋ（図
１参照）との間で出退ａ，ｂさせ、所望の撮影角度で撮影する。また、３群レンズ枠１１
を出退ａ，ｂさせることにより、フォーカッシングを行う。
【００３０】
沈胴操作時には、図３に示すように、カム筒１を逆転ｄさせて回転規制機構Ａ及びカム
機構Ｂの相互作用で２群レンズ枠１０を広角位置Ｊから退避位置Ｑまで後退ｂさせること
により、該２群レンズ枠１０のキー１０ａ及びカムピン１０ｂを連通溝１４ａに対応する
位置まで後退ｂさせる。
【００３１】
次に、図３（ｂ）に仮想線で示すように、カム筒１の逆転ｄにより２群レンズ枠１０を
回転中心軸Ｏ回りで所定角度回転させて、該２群レンズ枠１０のキー１０ａ及びカムピン
１０ｂを連通溝１４ａを通って退避溝１４に対応する位置まで移動させ、これにより、図
５に仮想線で示すように、２群レンズ枠１０のレンズＬ２を１群及び３群のレンズ枠９，
１１のレンズＬ１，Ｌ３間から側方に退避させる。
【００３２】
その後、図４に示すように、カム筒１の逆転ｄにより１群レンズ枠９をカム筒１内に後
退ｂさせると共に、該カム筒１を固定筒２内に後退ｂさせ、さらに、２群レンズ枠１０の
キー１０ａ及びカムピン１０ｂを退避溝１４内に退避させることにより、その２群レンズ
枠１０のレンズＬ２を１群レンズ枠９のレンズＬ１に対してオーバーラップさせ、１群レ
ンズ枠９及び２群レンズ枠１０をそれぞれ沈胴位置Ｐに停止させる。
【００３３】
上記構成によれば、沈胴操作時にカム筒１を逆転ｄさせるだけで、２群レンズ枠１０の
レンズＬ２を１群及び３群のレンズ枠９，１１のレンズＬ１，Ｌ３間から側方に退避させ
た後、その２群レンズ枠１０のレンズＬ２を１群レンズ枠９のレンズＬ１に対してオーバ
ーラップさせるから、そのオーバーラップ分βだけ沈胴幅Ｈを小さくして〔図４（ａ）参
照〕、薄型化を図ることができる。
【００３４】
また、２群レンズ枠１０のキー１０ａ及びカムピン１０ｂを退避させるための退避溝１
４及び連通溝１４ａを直進案内筒５に追加して形成しているだけであるから、構造が簡単
で部品点数が増加せず、従来に比べて政策にを大幅に安くすることができる。
【００３５】
上記した第１の実施の形態では、沈胴状態で２群レンズ枠１０のレンズＬ２を１群レン
ズ枠９のレンズＬ１に対してオーバーラップさせたが、これに限定されるわけではなく、
図７に示すように、２群レンズ枠１０のレンズＬ２を１群及び３群のレンズ枠９，１１の
レンズＬ１，Ｌ３の両方に対してオーバーラップさせるようにしてもよい（第２の実施の
形態）。なお、図７中、１８は２群レンズ枠１０に形成した挿通口であって、沈胴時に３
群レンズ枠１１をその挿通口１８に挿通する。
【００３６】
上記構成によれば、２群レンズ枠１０のレンズＬ２と１群及び３群のレンズ枠９，１１
のレンズＬ１，Ｌ３との両方をオーバーラップさせており、その両オーバーラップ分β１
，β２だけ沈胴幅Ｈが小さくなるので、一層小型化を図ることができる。
【００３７】
第３の実施の形態として、沈胴状態で２群レンズ枠１０のレンズＬ２を３群レンズ枠１
１のレンズＬ３に対してだけオーバーラップさせるようにしてもよく、これによれば、オ
ーバーラップ分β２だけ沈胴幅Ｈを小さくすることができ、第１の実施の形態（図１〜図
６参照）とほぼ同様の効果を得ることができる。
【図面の簡単な説明】
【００３８】
【図１】（ａ）は本発明の第１の実施の形態である光学ユニットにおける望遠撮影状態の縦断面図、（ｂ）は同状態の要部の展開図である。
【図２】（ａ）は同広角撮影状態の縦断面図、（ｂ）は同状態の要部の展開図である。
【図３】（ａ）は同沈胴直前状態の縦断面図、（ｂ）は同状態の要部の展開図である。
【図４】（ａ）は同沈胴状態の縦断面図、（ｂ）は同状態の要部の展開図である。
【図５】同正面図である。
【図６】同分解斜視図である。
【図７】本発明の第２の実施の形態である光学ユニットにおける沈胴状態の縦断面図である。
【図８】（ａ）は従来例における望遠撮影状態の縦断面図、（ｂ）は同状態の要部の展開図である。
【図９】（ａ）は同広角撮影状態の縦断面図、（ｂ）は同状態の要部の展開図である。
【図１０】（ａ）は同沈胴状態の縦断面図、（ｂ）は同状態の要部の展開図である。
【符号の説明】
【００３９】
１              カム筒
１Ａ，１Ｂ      カム溝
２              固定筒
５              直進案内筒
５Ａ            スリット
５ｂ            直進案内筒の突起部
７              縦溝
９              １群レンズ枠
１０            ２群レンズ枠
１１            ３群レンズ枠
９ａ，１０ａ    キー
９ｂ，１０ｂ    カムピン
１４            退避溝
１４ａ          連通溝
Ａ              回転規制機構
Ｂ              カム機構
ＣＣＤ          固体撮像素子
Ｏ              回転中心軸
Ｌ１〜Ｌ３      レンズ
Ｚ１〜Ｚ３      光軸
ａ，ｂ          出退
ｃ，ｄ          正逆回転
Ｊ              広角位置
Ｋ              望遠位置
Ｐ              沈胴位置
Ｑ              退避位置
【図１】
2007004038.tif 000003
【図２】
2007004038.tif 000004
【図３】
2007004038.tif 000005
【図４】
2007004038.tif 000006
【図５】
2007004038.tif 000007
【図６】
2007004038.tif 000008
【図７】
2007004038.tif 000009
【図８】
2007004038.tif 000010
【図９】
2007004038.tif 000011
【図１０】
2007004038.tif 000012